(57)【要約】【課題】  環境に即した撮影及び編集を行う。【解決手段】  センサ部と、汎用バス１２を介してＩ／Ｏ処理部７と関連付けされる記憶装置３１とを有している。記憶装置３１は、例えば、ガイダンス機能付き撮影装置Ａの他の部分と着脱可能に設けられており、ガイダンスファイル保存エリア（領域）３３と、ユーザ定義ガイダンスファイル保存エリア（領域）３５と、撮影データ保存エリア（領域）３７とを有している。センサ部は、測定結果に基づいて、ガイダンス内容や編集処理内容を変更できる。【選択図】  図１
2005039734.tif 000002
【特許請求の範囲】
【請求項１】
センサを備えた環境測定部を有する撮影装置と関連付け可能な記憶装置であって、
一連の撮影対象を複数の撮影データに分割して格納する撮影データ保存エリアと、
分割された前記撮影データのそれぞれに対して付されたガイダンスファイルであって、分割された前記撮影データと対応付けされているガイダンスファイルを格納するガイダンスファイル保存エリアと、
前記センサにより測定されたセンサデータを格納するセンサデータ保存エリアと
を有する記憶装置。
【請求項２】
さらに、ユーザ定義ガイダンスファイル保存エリアと前記センサと関連付けされたオブジェクト変更処理部とを有し、
前記ガイダンスファイルは、さらに、リソース関連と基本ストリーム生成関連の定義オブジェクトと、ストリーム処理と関連定義オブジェクトとの初期値を格納し、
前記ユーザ定義ガイダンスファイル保存エリアは、前記オブジェクト変更処理部により動的に変更されたリソース関連と基本ストリーム生成関連の定義オブジェクト又はストリーム処理関連の定義オブジェクトを格納することを特徴とする請求項１に記載の記憶装置。
【請求項３】
前記オブジェクト変更処理部は、前記センサの測定値の変化を契機にオブジェクトを変更する処理を行うことを特徴とする請求項２に記載の記憶装置。
【請求項４】
請求項２に記載の記憶装置と関連付け可能な撮影データ編集装置であって、
前記ガイダンスファイルと前記ユーザ定義ガイダンスファイルとを解析し、該解析の結果に基づいて必要であれば編集に必要なリソース又は編集手順を取得し、該編集手順に基づいて映像データの編集を行う編集処理部を有する撮影データ編集装置。
【請求項５】
前記撮影データを作成するための撮影装置と、請求項３に記載の撮影データ編集装置との両方に着脱可能とされていることを特徴とする請求項１又は２に記載の記憶装置。
【請求項６】
環境を測定するステップと、
測定された環境に基づいて、撮影手順の撮影ガイダンス候補を絞り込むステップと、
絞り込まれた前記撮影ガイダンス候補を提示することによりユーザに適したガイダンス候補の選択を促すステップと、
を有する環境対応撮影方法。
【請求項７】
請求項６に記載の環境対応撮影方法によって撮影された映像データを編集する編集方法であって、
さらに、撮影時に測定された環境に基づいて、編集に必要なリソース又は編集手順を取得するステップと、
前記編集手順に基づいて映像データの編集を行う編集ステップとを有することを特徴とする撮影データの編集方法。
【請求項８】
請求項６又は７に記載のステップをコンピュータに実行させるためのプログラム。
【請求項９】
環境測定部と、該環境測定部により測定された環境に基づいて撮影手順のガイダンス又はリソース関連情報の変更を行う処理部と、備えた画像撮影装置。
【請求項１０】
外部環境に基づいて撮影処理の変更を行う処理部を備えた画像撮影装置。
【発明の詳細な説明】
【技術分野】
【０００１】
本発明は、撮影装置に関し、特に、環境対応ガイダンス機能を備えた撮影装置に関する。さらに、この撮影装置により撮影されたデータを編集する編集技術に関する。
【背景技術】
【０００２】
最近、家庭用電気機器や家庭用情報機器などのデジタル化に伴い、画像データや動画データなどに関してもデジタルデータとして保存する方式が主流になっている。
【発明の開示】
【発明が解決しようとする課題】
【０００３】
一方、デジタル化が進むにつれてユーザ層が広がり、デジタルデータ処理にあまり詳しくないユーザが使用するケースも多くなっている。さらに、撮影装置において撮影時及び特に撮影済みデータの編集時における処理は、一般的なユーザにとっても煩雑であるため、より一層やさしいユーザインターフェイスの提供が望まれる。
【０００４】
本発明は、撮影操作及び撮影済みデータに基づく編集処理を簡単かつ楽しく行なうことができる撮影装置を提供することを目的とする。
【課題を解決するための手段】
【０００５】
本発明の一観点によれば、センサを備えた環境測定部を有する撮影装置と関連付け可能な記憶装置であって、一連の撮影対象を複数の撮影データに分割して格納する撮影データ保存エリアと、分割された前記撮影データのそれぞれに対して付されたガイダンスファイルであって、分割された前記撮影データと対応付けされているガイダンスファイルを格納するガイダンスファイル保存エリアと、
前記センサにより測定されたセンサデータを格納するセンサデータ保存エリアとを有する記憶装置が提供される。
【０００６】
さらに、ユーザ定義ガイダンスファイル保存エリアと前記センサと関連付けされたオブジェクト変更処理部とを有し、前記ガイダンスファイルは、さらに、リソース関連と基本ストリーム生成関連の定義オブジェクトと、ストリーム処理と関連定義オブジェクトとの初期値を格納し、前記ユーザ定義ガイダンスファイル保存エリアは、前記オブジェクト変更処理部により動的に変更されたリソース関連と基本ストリーム生成関連の定義オブジェクト又はストリーム処理関連の定義オブジェクトを格納することを特徴とする。
環境を測定するステップと、測定された環境に基づいて、撮影手順の撮影ガイダンス候補を絞り込むステップと、絞り込まれた前記撮影ガイダンス候補を提示することによりユーザに適したガイダンス候補の選択を促すステップと、を有する。
【発明の効果】
【０００７】
以上、本発明によれば、センサにより測定された環境により撮影時のガイダンス候補中から環境に適したガイダンス候補のみが絞り込まれるため、ユーザは、選択すべきガイダンス候補中から迅速かつ簡単にガイダンスを選択することができるという利点がある。
【０００８】
また、撮影時の環境を反映した映像データを自動的に編集することができる。従って、より臨場感に溢れる作品を簡単に編集することができるという利点がある。
【発明を実施するための最良の形態】
【０００９】
本発明に係る技術は、センサ部により取得した周辺環境を、撮影のための光学絞りなどに用いるというよりは、むしろ撮影手順を提示するガイダンスの選択又はエフェクトなどの映像の装飾であって、環境にふさわしい装飾などを選択するのに用いる。
【００１０】
まず、本発明の前提となるに撮影装置が備えるガイダンス機能について説明する。ガイダンス機能は、予め複数用意されている典型的な撮影シーン候補の中から、これから撮影するシーン又はそれに近い撮影シーン候補を選択し、選択された撮影シーン候補により撮影指標となるようなガイダンスを提供する機能である。ユーザは、選択した撮影シーン候補が提供するガイダンスに沿って撮影を行うことができる。より具体的に説明すると、本発明に係るガイダンス機構は、映画に例えれば、撮影監督であり、ユーザはカメラマンである。さらに、一定の手順で撮影されたデータであれば、その後の編集処理などに関する負荷も少なくなる。
【００１１】
以下、ガイダンス機能付き撮影装置について説明を行う。図１は、ガイダンス機能付きビデオカメラの一構成例を示す機能ブロック図である。図１に示すように、ガイダンス機能付き撮影装置Ａは、カメラ部１と、カメラ信号処理部３と、記録／再生信号処理部５と、Ｉ／Ｏ処理部７と、グラフィックス（Ｇｒａｐｈｉｃｓ）処理部１１と、制御部（ＭＰＵ）１５と、メモリ１７であってアプリケーションプログラムを格納するＲＯＭ１７ａを有するメモリと、通信制御部２１と、を有している。通信制御部２１は、例えば、ＵＳＢやＩＥＥＥ１３９４などの規格に基づいて他の機器との間でデータ転送を行うために設けられている。
【００１２】
さらに、本実施の形態によるガイダンス機能付き撮影装置Ａは、例えば汎用バス１２を介してＩ／Ｏ処理部７と関連付けされる記憶装置３１を有している。記憶装置３１は、例えば、ガイダンス機能付き撮影装置Ａの他の部分と着脱可能に設けられており、ガイダンスファイル保存エリア（領域）３３と、ユーザ定義ガイダンスファイル保存エリア（領域）３５と、撮影データ保存エリア（領域）３７とを有している。撮影装置が内蔵されていても良い。
【００１３】
撮影された映像信号（光信号）は、カメラ部１に設けられたレンズ、ＣＣＤ固体撮像素子（図示せず）などを通して電気信号に変換され、カメラ処理部３においてデジタル化を含む信号処理が行われる。信号処理により生成した映像信号は、記録／再生信号処理部５において、必要なコーデックによりデータ圧縮が行われ、Ｉ／Ｏ処理部７を介して記憶装置３１の撮影データ保存エリア３７に書き込まれる。音声信号に関しても、アナログ信号をデジタル化し、必要なコーデックで圧縮、Ｉ／Ｏ処理部７で映像信号系と同期をとり、記憶装置３１の撮影データ保存エリア３７に書き込む。
【００１４】
ガイダンス機能に利用されるガイダンスファイルは、複数のガイダンスファイルがガイダンスファイル保存エリア３３に保存されている。ユーザが、撮影前にこれから撮影するイベントに関連する、或いは、希望のガイダンスを選択すると、撮影開始時にＧＵＩ（グラフィック  ユーザ  インターフェイス）や音声などのガイダンスが適宜提示され、提示されたガイダンスに沿って撮影を開始する。
【００１５】
本発明に係る撮影装置Ａは、上記の各構成要素に加えて、さらに、Ｉ／Ｏ処理部７と関連付けされる外部センサ２３が設けられている。外部センサ２３は、例えば、温度センサ２３−１と、湿度センサ２３−２と、ＧＰＳ（Ｇｌｏｂａｌ  Ｐｏｓｉｔｉｏｎｉｎｇ  Ｓｙｓｔｅｍ）２３−３と、高度センサ２３−４と、加速度センサ２３−５と、光度センサ２３−６と、を備えている。その他のセンサを備えていても良い。また、記憶装置３１に、センサによりセンシングされたデータを保存するセンサデータ保存エリア３２が設けられている。尚、外部センサ２３は、ガイダンス機能付き撮影装置（ビデオカメラ）本体（Ａ）と着脱可能又は固定して取り付けられている。
【００１６】
ガイダンス機能つきビデオカメラ本体（Ａ）に、外部センサ２３を取り付けることにより、センサによりセンシングされた環境データに基づく状況に応じて、プログラムが撮影時選択されたガイダンスに対し、そのガイダンスで使用するリソース、例えばオープニング時のテーマリソース、サブタイトルやトランジション内容、ストリーム分割割合、特殊効果、効果音、ＢＧＭなどを動的に変更する。そして、撮影データを編集する場合には、その状況にあった自動編集を行う。
【００１７】
ビデオカメラの電源投入後であって撮影を開始する前に、システムが複数のセンサ情報からその環境を求め、種々のガイダンスカテゴリー中から状況に合ったガイダンスを自動的に絞込みそのガイダンスの選択を容易にする。さらに、複数のセンサ情報に基づいて、ビデオカメラ内に保存されているセンサ情報に対応するシーンがシーン確定データベースに存在する場合は、自動的にガイダンスを選択しユーザに“確定”を促す表示を行う。
より具体的には、以下に説明するようないくつかのケースに分けられる。
【００１８】
１．単独のセンサを利用するケース、２．複数のセンサを利用するケース。
単独のセンサを利用するケースにおいては、例えば、下記の編集を行う。
（１） 外気温センサを利用するケース（表１参照）。
【００１９】
【表１】
2005039734.tif 000003
【００２０】
外気温センサを用いた場合であって、外気温によりフレーム枠の種類を変更する例について表１を参照して説明を行う。まず、撮影時の外気温データをガイダンスユーザ定義オブジェクト（後述する）に保存する。編集時に、その値を利用して装飾用に用いる同一ガイダンス内の別デザインのフレーム枠（一般にリソースと呼ぶ）を合成するシーケンスにおいて、標準枠のデザインが木枠のフレームであったとする。この場合、センサデータに応じてフレーム枠を、例えば表１に示すように変更する。
【００２１】
・外気温とフレーム枠の種類とシーン抽出定義 *１と**定義との関係
マイナス気温０度〜５度、６度〜１５度、１６度〜２５度、２６度〜３０度、３１度以上のそれぞれの環境に対して、フレーム枠をそれぞれ、白、ブルー、水色、緑、オレンジ、赤、にする。シーン抽出定義において、白成分が８０％以上のところを抽出し、青成分が８０％以上のところを抽出し、水色成分が８０％以上のところを抽出し、緑成分が８０％以上のところを抽出し、緑〜オレンジ成分が３０％以上のところを抽出し、オレンジ〜赤成分が４０％以上のところを抽出する。ここでは、選択されるフレーム枠のカテゴリーとして色による表現とダイレクトな表現によるものに分類した。
【００２２】
２．複数のセンサを利用するケース
複数のセンサを使うことによって上記の選択されるフレーム枠の選択範囲はさらに拡大させることができる。その例について表２を参照して説明する。
【００２３】
【表２】
2005039734.tif 000004
【００２４】
(１.１)  外気温センサと湿度センサの組み合わせによるフレーム枠の種類
異なる２つのセンサ、例えば外気温センサと湿度のセンサとを併用することにより、選択可能なフレーム枠の種類をさらに増やすことが可能となる。特に、気温により湿度に関する影響が全く異なることから、選択肢が増加する。表２に示す、外気温と、湿度と、選択されるフレーム枠の種類と、特殊効果定義とに関して、外気温がマイナス気温０度〜５度、６度〜１５度、１６〜２５度、２６度〜３０度、３１度以上のそれぞれに対して、湿度小、湿度小、湿度小、湿度小、湿度中〜大、湿度小、湿度大、湿度小、湿度大が対応している。また、それぞれに対して、氷の表現冬景色の表現、新芽の表現すがすがしい木々・風の表現、蒸し暑さ・汗とハンカチ。喉が渇く不快指数が大きい・汗とタオル、砂漠、蒸し風呂がそれぞれ挙げられる。
【００２５】
特殊効果定義としては、それぞれ、センサにより検出された温度・湿度にふさわしい又は連想させるような特殊効果を定義すると良い。例えば、表２に示すような、ネガポジ反転効果、鉛筆画効果・エンボス効果、水彩画効果、水彩画効果、デッサン効果、漫画効果＋ベース色を黄色に設定、パステル効果、砂絵効果、砂絵効果＋色調をオレンジ、赤強調が挙げられる。
【００２６】
図２及び図３は、本実施の形態による環境センサ付き撮影装置を用いた場合の、ガイダンスカテゴリーの動的変更処理の流れとユーザ定義ガイダンスファイルの生成処理の流れを示すフローチャート図である。図２及び図３に示すように、ます、ステップＳ１において、各種センサ情報を取得する。ステップＳ２において、撮影装置（機器）の電源のバッテリ残容量が十分かどうかを判断する。例えば、バッテリ残存量が１０％以下であるか否かによりこれを判定する。バッテリ残存量が１０％以下であれば、ステップＳ３においてバッテリ残量警告の表示が行われ、ステップＳ４において電力消費を少なくするためセンサによる計測を停止する。ステップＳ５において、計測停止直前の各種データｂを保存し、撮影装置の電源をＯＦＦする。ユーザはバッテリの充電を行っても良い。
【００２７】
ステップＳ２において、撮影装置（機器）の電源のバッテリ残容量が十分であると判断されると、ステップＳ７に進み、機器の電源はバッテリのみか否かを判断する。機器の電源がバッテリのみであれば、ステップＳ８に進み、定期的なデータの逐次保存（パーシャル保存）を行い、ステップＳ９に進む。ステップＳ９において、機器の電源をＯＮしたか否かを判断し、ＯＮした場合にはステップＳ１２に、ＯＮしなかった場合にはステップＳ１１に進む。ステップＳ７において、機器の電源はバッテリのみでない場合には、ステップＳ１０に進みデータの保存処理を行わずにステップＳ２に戻る。
【００２８】
ステップＳ９において、機器の電源がＯＮされたと判断されると、ステップＳ１２に進み計測を停止し、ステップＳ１３に進み、データ解析処理（直前のデータの）を行う。解析処理が行われたデータと、センサパラメータ対ガイダンスカテゴリー対比データベースにおけるデータ（ステップＳ１４）とに基づいて、ステップＳ１５においてデータ解析処理を行う。この際、データベースに一番近いデータが選択される。次いで、ステップＳ１６に進み、自動ガイダンス機能がオンになっているか否かを判断する。自動ガイダンス機能がオンになっていれば、ステップＳ１７に進み、ガイダンス表示選択時に選択されたガイダンスリストを表示する。自動ガイダンス機能がオンになっていなければ、ステップＳ１８に進み、通常のガイダンスを表示する。
【００２９】
次いで、編集用ユーザ定義ファイル生成処理フロー（ステップＳ１９からＳ２１まで）を行う。すなわち、まずステップＳ１９に進み、ユーザがガイダンスを選択し、ステップＳ２０において選択されたガイダンスからユーザ定義ガイダンスファイルを生成し、ステップＳ２１において、ステップＳ１３において得られた結果に基づいてダイナミック編集用リソース、ストリーム時間帯等の設定値を変更しファイルを保存する。
【００３０】
上記フローのより詳細な説明を行う。ビデオカメラなどの機器は、常時電源が入っているわけではない。各種データを蓄積するシステム部分は、例えば、バッテリが装着されている、バッテリ残量が１０％以上ある、ＡＣ電源供給状態ではない、などの条件下において外部センサ系とデータ保存系のみを動作させておく必要がある。「ＡＣ電源供給状態にない」という意味は、一般にビデオカメラは家の外で使うことが非常に多いため、その慣習条件がビデオカメラ機器に備え付けられたセンサ動作の条件として非常に大きな要素となるためである。
【００３１】
また、バッテリ残量が１０％以上必要であるという条件は、センサ動作、センサデータ保存系システム動作の消費電力とビデオカメラ機器を使用していない時間との関係により変化する。バッテリ残量が１０％以上残っていれば、ビデオカメラが使用する１０００ｍＡｈ〜２０００ｍＡｈの間の平均的なバッテリパワーから考えて２日程度は動作状態を保障できる、との判断である。これらの条件を満たしている場合のみ、計測を継続する。その条件から逸脱している場合はバッテリ警告表示をするとともに計測を停止、それまでのデータを保存し機器の電源をオフさせる。
【００３２】
次に電源をユーザが入れた場合（ステップＳ９）、それまで保存したもしくは保存を継続している場合は計測を停止し、保存されたデータの解析を行う。メモリには、予め、様々なセンサ単独又は複数のセンサデータとガイダンス対比データベース（表１、表２）やセンサ単独または複数のセンサデータとガイダンスファイルに定義された各種オブジェクト内変数値対比データベース（表１、表２）が用意されており、そのデータベースと今まで計測された時間とを軸とした数値変化度合いからガイダンス選択カテゴリーの絞込みや各種オブジェクト内変動要素を決める。この処理は、ユーザがガイダンスを選択するまでに終了させておく必要がある。電源を入れた直後の瞬時に様々な設定を行うため、データベース化されている。
【００３３】
自動ガイダンス機能がオンになっているかオフになっているか（Ｓ１６）で処理が異なる。自動ガイダンス機能がオフになっている場合は、通常のガイダンス機能付きビデオカメラと同じになる。
【００３４】
これに対して、自動ガイダンス機能がオンになっている場合は、先ほど設定されたビデオカメラが使う時の状況に合ったカテゴリーのみが表示されたガイダンス選択インターフェースが表示される。この際、センサにより測定された環境に基づいて、種々のガイダンス候補の中から測定された環境によるガイダンス候補の絞り込みが行われ、ユーザには全体のガイダンス候補の中から絞り込まれたガイダンス候補が提示される。従って、ユーザはその環境に合ったガイダンスを迅速に選択することができる。ユーザがガイダンスを選択した後、そのガイダンスファイルをユーザ定義フォルダにコピーする。一連のガイダンスによる撮影終了後、再度ガイダンスファイルを保存し一連のフローが終了する。
【００３５】
以上に説明したように、本実施の形態による環境対応ガイダンス機能付き撮影装置によれば、センサにより測定された環境により撮影時のガイダンス候補中から環境に適したガイダンス候補のみが絞り込まれるため、ユーザは、選択すべきガイダンス候補中から迅速かつ簡単にガイダンスを選択することができるという利点がある。
【００３６】
次に、本発明の第２の実施の形態であって、環境対応ガイダンス機能を有する撮影装置により撮影されたデータの編集技術について説明する。まず、ガイダンスファイル内で管理される定義オブジェクト群について、図４及び図５を参照しつつ説明を行う。図４は、リソース関連、基本ストリーム生成関連の定義オブジェクトを示す図である。リソースとは、例えば、オープニング、エンディングなどに用いられるフレーム枠や文字情報などを含むフレームなど、既に編集装置内に存在するデータを指す。図４には、ストリームデータから抽出された静止画データや、それを加工し新たにストリームリソースとして生成されるものも含んだカテゴリーとしてまとめている。
【００３７】
図５は、ストリームデータ処理にかかわる定義オブジェクトをまとめた図である。動画編集で構成される基本要素である、ビデオストリーム、オーディオストリーム分割合成定義、トランジション定義、特殊効果定義などが含まれる。以上、説明したオブジェクト群のうち、外部センサからの情報により変更可能なオブジェクトの初期設定値を“センサパラメータ対ガイダンスカテゴリー対比データベース”に照らし合わせて、ダイナミックにユーザ定義ガイダンスファイル内データを変更することができる。これらの拡張機能により、編集時により高度な編集が約束される。
【００３８】
上記に関連する処理の流れを図６に示すフローチャート図に基づいて説明する。ステップＳ３１において、直前のデータのデータ解析を行う。センサパラメータ対ガイダンスカテゴリー対比データベース（Ｓ３２）と上記データ解析によるデータとをステップＳ３３において比較し、ステップＳ３４において最適データ値を決定する。ステップＳ３５において、ガイダンスファイル内に決定された最適データ値をセットし、このファイルを保存する。
【００３９】
【表３】
2005039734.tif 000005
2005039734.tif 000006
2005039734.tif 000007
2005039734.tif 000008
【００４０】
表３に、ガイダンスファイルフォーマットの構成例を示す。表３に示すように、ガイダンスファイルフォーマットは、ガイダンスヘッダオブジェクトと、編集が必要か否かを判定するのに使用するユーザ定義オブジェクトと、主として撮影前に設定で使用する場合に用いるユーザ定義リソースオブジェクトと、時間経過によるパーシャル処理値を保存するユーザ定義変数と、撮影情報定義オブジェクトと、ユーザ動画定義オブジェクトと、ユーザ音声定義オブジェクトと、テンポラリーオブジェクトと、アイコンに関連するサムネイルオブジェクトと、ガイダンスデータオブジェクトと、ストーリースクリプトオブジェクトと、を有している。
【００４１】
ユーザ操作が加えられた情報は、上記のガイダンスファイルフォーマットに従ってビデオカメラにより自動的に作成される。ガイダンスに沿って全ての撮影が終了すると、ガイダンスファイルと撮影データファイルとは、それぞれ決められた保存エリア（領域）に保存される。
【００４２】
尚、ここで初期設定を変えることが有効なオブジェクト例を挙げると、以下のようになる。
・リソース関連、基本ストリーム生成関連定義
（１）リソース群定義オブジェクト
（２）音声リソース関連定義オブジェクト
・ストリームデータ処理関連定義
（１）こま数定義
（２）ビデオストリーム特殊効果処理定義オブジェクト
（３）オーディオ特殊効果定義オブジェクト
（４）トランジション定義オブジェクト
等があげられる。
【００４３】
ここで、例えばリソース関係、基本ストリーム静止画関連定義の（１）においては、センサが外気温のみの場合、外気温＋湿度計の場合のフレーム枠定義は前述の表１、表２に示した通りである。ユーザ定義変数（データ）は、各種センサ値に関連するものである。
【００４４】
【表４】
2005039734.tif 000009
【００４５】
【表５】
2005039734.tif 000010
【００４６】
また、表４、５に示すように、スクリプト記述基本アイテムは、すべてオブジェクト構造から構成される。設定パートとしては、表４に示される各種設定があり、処理パートとしては表５に示される各種処理が挙げられる。これらを時系列に組み合わせることでスクリプトを完成させることができる。
【００４７】
尚、予め用意されたガイダンスデータや独自に作ったユーザ定義のガイダンスデータはビデオカメラに装着されたさまざまなセンサからの情報でその中のパラメータやスクリプト順序や時間などを変更することができる。例えば、撮影装置（ビデオカメラ）に温度計、湿度計、高度計、光度計、時計などがついているとして、そのときの時間情報、湿度、温度、高度、撮影状態の被写体の明るさなどによってリソースを動的に変化させる。これら動的に変更されたガイダンスファイルは、標準（デフォルト）のリソースオブジェクトやユーザ定義変数オブジェクトとは異なる内容に変更されるため、テンポラリフォルダに格納され、撮影されたデータとリンクされる。
【００４８】
次に、撮影された映像を編集装置により例えば自動編集する場合には、図１に示す記憶装置３１を編集装置に装着する。この際、ガイダンスファイル保存エリアに保存されているガイダンスファイルと、撮影データ保存エリアに保存されている撮影データとが対応付けされているため、自動編集を行いやすい。加えて、撮影時の環境に沿ってガイダンスファイルフォーマットのオブジェクトが変更されているため、このオブジェクトを参照しつつ編集を行うことで、撮影時の環境を反映した映像データを自動的に編集することができる。従って、より臨場感に溢れる作品を簡単に編集することができるという利点がある。
【００４９】
以上、本発明に関して実施の形態に沿って説明を行ったが、本発明はこれらの例に限定されるものではなく、種々の変形が可能であるのは言うまでもない。
【産業上の利用可能性】
【００５０】
本発明は、ビデオカメラの他に、デジタルスチルカメラや通常のカメラ、携帯電話やＰＤＡなどの携帯端末などに応用可能である。
【図面の簡単な説明】
【００５１】
【図１】本発明の実施の形態による環境対応ガイダンス機能付きビデオカメラの一構成例を示す図である。
【図２】本発明の実施の形態による環境対応ガイダンス機能付きビデオカメラによる撮影処理の流れを示すフローチャート図である。
【図３】図２に続く図である。
【図４】リソース関連、基本ストリーム生成関連の定義オブジェクトを示す図である。
【図５】ストリームデータ処理に関連する定義オブジェクトを示す図である。
【図６】オブジェクトを動的に変化させる処理手順を示す図である。
【符号の説明】
【００５２】
１…カメラ部、３…カメラ処理部、５…記録／再生信号処理部、７…Ｉ／Ｏ処理部、１１…Ｇｒａｐｈｉｃｓ処理部、１５…ＭＰＵ、１７…メモリ、１７ａ…ＲＯＭ、２１…通信制御部、２３…センサ部、３１…記憶装置、３２…センサデータ保存エリア、３３…ガイダンスファイル保存エリア、３５…ユーザ定義ガイダンスファイル保存エリア、３７…撮影データ保存エリア。
【図１】
2005039734.tif 000011
【図２】
2005039734.tif 000012
【図３】
2005039734.tif 000013
【図４】
2005039734.tif 000014
【図５】
2005039734.tif 000015
【図６】
2005039734.tif 000016